(57)【要約】      （修正有）【課題】階段昇降時に、ひざや足への体重負担を軽減できる階段昇降補助具を提供する。【解決手段】階段の階段骨格１と、各段板床面である踏み板取付け台座２の上端側に上下方向に弾性発現可能な弾力性のあるコイルばね３を取付け、各段板床面の踏み板取付け台座２の下端側を、踏み板取付け台座２の軸支丸棒５を介して踏み板取付け台座２の軸支丸棒装着板６に搖動可能に装着する。階段上昇時には、踏み込んだばねの反発力により、踏み板と共に踏み込んだ足を上向きに押し上げて、助勢することにより、脚力が衰えても上段に足を運べて、ひざや足への負担軽減が可能になり、踏み板が横に揺れたりすることがなくなった。加えて、踏み板上面部に水平安定部１３を形成したことにより、階段昇降者の傾斜踏み板の不安感を一掃出来た。【選択図】図１
0003188282.tif 000002
【実用新案登録請求の範囲】
【請求項１】
階段の各段に取付ける階段昇降補助具であって、同階段の階段骨格と、各段板床面である踏み板取付け台座の上端側に上下方向に弾性発現可能な弾力性のあるバネ部材を取付け、前記各段板床面の踏み板取付け台座の下端側を、踏み板取付け台座の軸支丸棒を介して前記踏み板取付け台座の軸支丸棒装着板に搖動可能に装着したことを特徴とする階段昇降補助具。
【請求項２】
上記踏み板上面部に水平部分を形成してなることを特徴とする請求項１に記載の階段昇降補助具。
【請求項３】
上記階段昇降補助具の踏み板下端側下部に捩れコイルばねを、踏み板取付台座の軸支丸棒装着板に穿孔のピン挿入穴に、捩れコイルばね強弱調整ピンを挿入して取付けたことを特徴とする請求項１、若しくは、請求項２に記載の階段昇降補助具。
【考案の詳細な説明】
【技術分野】
【０００１】  本考案は、階段昇降時に、ひざや足への体重負担を軽減するために、ばねを利用して、弾力効果を付与した階段に使用する踏み板に関するものである。
【背景技術】
【０００２】  ある程度の個人差はあるが、誰でも年を重ねる度に、ひざや足が弱り、歩行や階段の昇降が困難で、苦痛となっている。そのため、従来は、コイルばねを用いた階段昇降具が市販されているが、独立懸架機構が採用されているために、安定性が乏しくほとんど使用されていない。
【先行技術文献】
【特許文献１】  特開２００７−１４６６３５号  公開特許公報
【考案の開示】
【考案が解決しようとする課題】
【０００３】特許文献１においては、コイルばねは階段昇降時に圧縮されるので、踏み板が横に揺れたりすることも懸念されるので、本考案者は、従来の階段昇降補助具の欠点や課題を鋭意研究した結果、ひざや足への負担軽減を可能にする階段昇降補助具を提供することができた。
そこで、試作製品を試乗用階段に搭載し、試乗体験をしてもらい試乗者にアンケートをお願いしたところ、階段に取付けた踏み板が横に揺れたり、踏み板の踏み面が傾斜しているため、若干、怖い感じがするとの意見があり、本考案者がその不具合を解消する改良踏み板を考案した。
【課題を解決するための手段】
【０００４】本考案は、階段の各段に取付ける階段昇降補助具であって、同階段の階段骨格と、各段板床面である踏み板取付け台座の上端側に上下方向に弾性発現可能な弾力性のあるバネ部材を取付け、前記各段板床面の踏み板取付け台座の下端側を、踏み板取付け台座の軸支丸棒を介して前記踏み板取付け台座の軸支丸棒装着板に搖動可能に装着した階段昇降補助具で、踏み板上面部に水平部分を形成し、階段昇降者の傾斜踏み板の不安感を一掃した階段昇降補助具である。更に、階段昇降補助具の踏み板下部に捩れコイルばねを、踏み板取付台座の軸支丸棒装着板に穿孔のピン挿入穴に、捩れコイルばね強弱調整ピンを挿入して取付けた。【０００５】
【考案の効果】
【０００６】  以上のように、本考案に係る階段昇降補助具を、階段の段板上に敷設することにより、階段上昇時には、踏み込んだばねの反発力により、踏み板と共に踏み込んだ足を上向きに押し上げて、助勢することにより、脚力が衰えても上段に足を運べて、ひざや足への負担軽減が可能になり、踏み板が横に揺れたりすることがなくなった。加えて、踏み板上面部に水平部分を形成したことにより、階段昇降者の傾斜踏み板の不安感を一掃できた。更に、階段昇降補助具の踏み板下部に捩れコイルばねを、踏み板取付台座の軸支丸棒装着板に穿孔のピン挿入穴に、捩れコイルばね強弱調整ピンを挿入して取付けたことにより、踏み板上面部の水平部分の角度を各階段の傾斜角に応じて調整可能になった。【０００７】
【図面の簡単な説明】
【０００８】
【図１】本考案に係る階段昇降補助具の要部を示す斜視図
【図２】階段昇降補助具の骨組とばねの接続部を示す一部切欠きの斜視図
【図３】階段昇降補助具の踏み板台座を示す斜視図
【図４】階段昇降補助具の踏み板の後側に昇降（水平）安定部を配置した踏み板の状況を示す斜視図
【図５】図４に図示の踏み板を踏み板取付台座に取付けた状況を示す斜視図
【図６】本考案に係る階段昇降補助具の踏み板に人が踏み込んだ際のコイルばねの状況を示す斜視図
【図７】本考案に係る階段昇降補助具の踏み板に踏み板の角度を調整する捩れコイルばねを配置した状況を示す斜視図である。
【考案を実施するための最良の形態】
【０００９】  本考案に係る階段昇降補助具の具体例を図１から図７を参照して以下説明する。
【実施例】
【００１０】  以下、本考案の実施例について具体例を挙げて説明する。本実施例では、図１に図示する如く、階段骨格（骨組）１と踏み板取付台座２に、一対のコイルばね３をコイルばね取付ナット１０を介して取付けたが、フック等で吊着しても良い。更に、踏み板取付台座２の後端を踏み板取付台座の軸支丸棒５を介して、踏み板取付台座の軸支丸棒装着板６に搖動可能に取付けた。図２は、図１に図示の階段昇降補助具の階段骨格（骨組）１とコイルばね３の接続部を一部切欠いた様子を示している。図３は、踏み板取付台座２を軸支丸棒５を介して、踏み板取付台座の軸支丸棒装着板６に取付け、更に、踏み板取付台座２に穿孔したコイルばね取付穴４を図示している。【００１１】  図４は、踏み板取付台座２に、踏み板７の後端側が屈曲した水平安定部（屈曲昇降安定部）１３を有する踏み板７を取付け、水平安定部（屈曲昇降安定部）１３には、滑り止め８を貼付した様子を図示している。図５は、図４に図示の踏み板７を踏み板取付台座の軸支丸棒装着板６に、踏み板取付台座の軸支丸棒５を介して取付けた状況を示す斜視図である。
図６は、階段昇降補助具の踏み板７に人が踏み込んだ際のコイルばね３と足９の状況を示す斜視図である。図７は、階段昇降補助具の踏み板７に踏み板の角度を調整する捩れコイルばね１１を、踏み板下部の踏み板取付台座の軸支丸棒装着板６に穿孔の捩れコイルばね強弱調整ピン挿入穴１２に捩れコイルばね強弱調整ピン１４を挿入して取付けたことにより、踏み板上面部の水平部分の角度を各階段の傾斜角に応じてばねの弾力強弱が調整可能になった状況を示している。
【符号の説明】
【００１２】１  階段骨格（骨組）
２  踏み板取付台座
３  コイルばね
４  コイルばね取付穴
５  踏み板取付台座の軸支丸棒
６  踏み板取付台座の軸支丸棒装着板
７  踏み板
８  滑り止め
９  足
１０  コイルばね取付ナット
１１  捩れコイルばね
１２  捩れコイルばね強弱調整ピン挿入穴
１３  水平安定部（屈曲昇降安定部）
１４  捩れコイルばね強弱調整ピン
【図１】
0003188282.tif 000003
【図２】
0003188282.tif 000004
【図３】
0003188282.tif 000005
【図４】
0003188282.tif 000006
【図５】
0003188282.tif 000007
【図６】
0003188282.tif 000008
【図７】
0003188282.tif 000009